【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
ビデオデコーダを使用して、エンコードされたビデオのビットストリームからビデオをデコードする方法であって、前記ビデオは、コーディングユニットに区画化されたピクチャを含み、前記方法は、
前記コーディングユニットのうちの１つに対して、
そのコーディングユニットのための低忠実度フラグであって、ビデオ成分と関連付けられる低忠実度フラグを再構成することであって、前記低忠実度フラグを再構成することは、前記ビットストリームにおけるそのコーディングユニットから前記低忠実度フラグをデコードすることを含む、ことと、
前記低忠実度フラグが設定されている場合、低忠実度モードオフセットに基づいて、前記ビデオ成分のための量子化パラメータを決定することと、
前記低忠実度フラグが設定されていない場合、前記低忠実度モードオフセットを使用することなく、前記ビデオ成分のための前記量子化パラメータを決定することと、
前記量子化パラメータに基づいて、前記コーディングユニットに対する前記ビデオ成分におけるデコードされる係数を逆量子化することにより、逆量子化された係数を生成することと
を含む、方法。
【請求項２】
前記ビデオ成分は、ルマ成分と、クロマ成分と、アルファ成分と、赤色成分と、緑色成分と、青色成分とのうちの少なくとも１つを含む、請求項１に記載の方法。
【請求項３】
前記低忠実度フラグは、クロマ成分と関連付けられるクロマ低忠実度フラグを備え、前記クロマ低忠実度フラグが設定されている場合、前記量子化パラメータを決定することは、ルマ量子化パラメータと、事前決定されたクロマＱＰオフセット値と、前記低忠実度モードオフセットとの合計に基づいて、ルックアップテーブルをインデックス化することによって、クロマ量子化パラメータを決定することを含む、請求項１または２に記載の方法。
【請求項４】
前記ビットストリームは、高忠実度形式でエンコードされ、前記クロマ量子化パラメータを決定するためにルックアップテーブルをインデックス化することは、クロマ量子化パラメータのクロマサブサンプリング形式のルックアップテーブルをインデックス化することを含む、請求項３に記載の方法。
【請求項５】
前記高忠実度形式は、４：４：４および４：２：２のうちの１つであり、前記クロマサブサンプリング形式は、４：２：０である、請求項４に記載の方法。
【請求項６】
前記ビットストリームは、前記高忠実度形式においてエンコードされ、
前記低忠実度フラグが設定されている場合、前記量子化パラメータを決定することは、ＱＰ値と前記低忠実度モードオフセットとを使用して、低忠実度形式ルックアップテーブルをインデックス化することを含み、
前記低忠実度フラグが設定されていない場合、前記量子化パラメータを決定することは、前記低忠実度モードオフセットなしで前記ＱＰ値を使用して、高忠実度形式ルックアップテーブルをインデックス化することを含む、
請求項１〜５のいずれか一項に記載の方法。
【請求項７】
前記方法は、
前記低忠実度フラグが設定されている場合、低忠実度固有最小値に基づいて、前記コーディングユニットの前記ビデオ成分に関連付けられる変換ツリーをデコードするために使用される最小変換サイズを決定することと、
前記低忠実度フラグが設定されていない場合、前記コーディングユニットと関連付けられる変換ツリーをデコードするときの使用のために、事前決定された最小変換サイズを使用することと、
デコードされた係数を生成するために、前記最小変換サイズに基づいて、前記コーディングユニットに対する前記ビデオ成分における変換ツリーを前記ビットストリームからデコードすることと
をさらに含む、請求項１〜６のいずれか一項に記載の方法。
【請求項８】
前記方法は、
前記低忠実度フラグが設定されている場合、前記コーディングユニットの前記ビデオ成分に関連付けられるイントラ予測モードの数を１であるように決定することと、
前記低忠実度フラグが設定されていない場合、前記コーディングユニットの区画化に基づいて、前記コーディングユニットの前記ビデオ成分に関連付けられるイントラ予測モードの数を決定することと、
前記コーディングユニットの前記ビデオ成分に対してイントラ予測モードの前記決定された数を前記ビットストリームからデコードすることと
をさらに含む、請求項１〜７のいずれか一項に記載の方法。
【請求項９】
前記低忠実度モードオフセットは、ピクチャパラメータセット（ＰＰＳ）またはシーケンスパラメータセット（ＳＰＳ）のうちの少なくとも１つにおいて信号化される、請求項１〜８のいずれか一項に記載の方法。
【請求項１０】
ビデオデコーダにおいて係数を逆量子化するように、エンコードされたビデオのビットストリームをデコードするためのデコーダであって、前記デコーダは、
プロセッサと、
メモリと、
メモリ内に記憶され、請求項１〜９のいずれか一項に記載の方法を実施するように前記プロセッサを構成するための命令を含むデコーディングアプリケーションと
を備える、デコーダ。
【請求項１１】
ビデオエンコーダを使用して、エンコードされたビデオのビットストリームを作成するためにビデオをエンコードする方法であって、前記ビデオは、コーディングユニットに区画化されるピクチャを含み、前記方法は、
前記コーディングユニットのうちの１つに対して、
前記コーディングユニットのための低忠実度フラグであって、ビデオ成分と関連付けられる低忠実度フラグをエンコードすることであって、前記低忠実度フラグは、前記コーディングユニットが低忠実度モードにおいてエンコードされる場合に設定され、前記コーディングユニットが低忠実度モードでエンコードされない場合に設定されず、前記低忠実度フラグをエンコードすることは、前記ビットストリームにおけるそのコーディングユニットにおける前記低忠実度フラグをエンコードすることを含む、ことと、
前記コーディングユニットが前記低忠実度モードにおいてエンコードされる場合、低忠実度モードオフセットに基づいて、前記ビデオ成分のための量子化パラメータを決定することと、
前記コーディングユニットが前記低忠実度モードにおいてエンコードされない場合、前記低忠実度モードオフセットを使用することなく、前記ビデオ成分のための前記量子化パラメータを決定することと、
前記量子化パラメータに基づいて、前記コーディングユニットに対する前記ビデオ成分における変換係数を量子化することにより、量子化された係数を生成することと
を含む、方法。
【請求項１２】
前記ビデオ成分は、ルマ成分と、クロマ成分と、アルファ成分と、赤色成分と、緑色成分と、青色成分とのうちの少なくとも１つを含む、請求項１１に記載の方法。
【請求項１３】
前記低忠実度モードオフセットは、ピクチャパラメータセット（ＰＰＳ）またはシーケンスパラメータセット（ＳＰＳ）のうちの少なくとも１つにおいて信号化される、請求項１１または１２のうちの一項に記載の方法。
【請求項１４】
ビデオをエンコードするためのエンコーダであって、前記ビデオは、コーディングユニットに区画化されるピクチャを含み、前記エンコーダは、
プロセッサと、
メモリと、
メモリ内に記憶され、請求項１１〜１３に記載の方法を実施するように前記プロセッサを構成するための命令を含むエンコーディングアプリケーションと
を備える、エンコーダ。
【請求項１５】
プロセッサ実行可能な命令を記憶する非一過性プロセッサ読み取り可能な媒体であって、前記命令は、実行されると、請求項１〜９、１１〜１３のいずれか一項に記載の方法を実施するように１つまたは複数のプロセッサを構成する、非一過性プロセッサ読み取り可能な媒体。
【手続補正２】
【補正対象書類名】明細書
【補正対象項目名】００１４
【補正方法】変更
【補正の内容】
【００１４】
本開示の他の側面および特徴は、添付の図面と併せて、例の以下の説明を検討することで、当業者によって理解される。
本発明は、例えば、以下を提供する。
（項目１）
ビデオデコーダを使用して、エンコードされたビデオのビットストリームからビデオをデコードする方法であって、前記ビデオは、コーディングユニットに区画化されたピクチャを含み、前記方法は、
前記コーディングユニットのうちの１つに対して、
そのコーディングユニットと関連付けられ、ビデオ成分と関連付けられる低忠実度フラグを再構成することと、
前記低忠実度フラグが設定されている場合、低忠実度モードオフセットに基づいて、前記ビデオ成分のための量子化パラメータを決定することと、
前記低忠実度フラグが設定されていない場合、前記低忠実度モードオフセットを使用することなく、前記ビデオ成分のための前記量子化パラメータを決定することと、
前記量子化パラメータに基づいて、前記コーディングユニットに対する前記ビデオ成分におけるデコードされる係数を逆量子化することにより、逆量子化された係数を生成することと
を含む、方法。
（項目２）
前記ビデオ成分は、ルマ成分と、クロマ成分と、アルファ成分と、赤色成分と、緑色成分と、青色成分とのうちの少なくとも１つを含む、項目１に記載の方法。
（項目３）
前記低忠実度フラグを再構成することは、前記ビットストリームから前記低忠実度フラグをデコードすることを含む、項目１または２に記載の方法。
（項目４）
前記低忠実度フラグをデコードすることは、前記コーディングユニットのうちの前記１つと関連付けられるコーディングユニットヘッダから前記低忠実度フラグをデコードすることを含む、項目３に記載の方法。
（項目５）
前記低忠実度フラグは、クロマ成分と関連付けられるクロマ低忠実度フラグを備え、前記クロマ低忠実度フラグが設定されている場合、前記量子化パラメータを決定することは、ルマ量子化パラメータと、事前決定されたクロマＱＰオフセット値と、前記低忠実度モードオフセットとの合計に基づいて、ルックアップテーブルをインデックス化することによって、クロマ量子化パラメータを決定することを含む、項目１〜４のいずれか一項に記載の方法。
（項目６）
前記ビットストリームは、高忠実度形式でエンコードされ、前記クロマ量子化パラメータを決定するためにルックアップテーブルをインデックス化することは、クロマ量子化パラメータのクロマサブサンプリング形式のルックアップテーブルをインデックス化することを含む、項目５に記載の方法。
（項目７）
前記高忠実度形式は、４：４：４および４：２：２のうちの１つであり、前記クロマサブサンプリング形式は、４：２：０である、項目６に記載の方法。
（項目８）
前記ビットストリームは、前記高忠実度形式においてエンコードされ、
前記低忠実度フラグが設定されている場合、前記量子化パラメータを決定することは、ＱＰ値と前記低忠実度モードオフセットとを使用して、低忠実度形式ルックアップテーブルをインデックス化することを含み、
前記低忠実度フラグが設定されていない場合、前記量子化パラメータを決定することは、前記低忠実度モードオフセットなしで前記ＱＰ値を使用して、高忠実度形式ルックアップテーブルをインデックス化することを含む、
項目１〜７のいずれか一項に記載の方法。
（項目９）
前記方法は、
前記低忠実度フラグが設定されている場合、低忠実度固有最小値に基づいて、前記コーディングユニットの前記ビデオ成分に関連付けられる変換ツリーをデコードするために使用される最小変換サイズを決定することと、
前記低忠実度フラグが設定されていない場合、前記コーディングユニットと関連付けられる変換ツリーをデコードするときの使用のために、事前決定された最小変換サイズを使用することと、
デコードされた係数を生成するために、前記最小変換サイズに基づいて、前記コーディングユニットに対する前記ビデオ成分における変換ツリーを前記ビットストリームからデコードすることと
をさらに含む、項目１〜８のいずれか一項に記載の方法。
（項目１０）
前記方法は、
前記低忠実度フラグが設定されている場合、前記コーディングユニットの前記ビデオ成分に関連付けられるイントラ予測モードの数を１であるように決定することと、
前記低忠実度フラグが設定されていない場合、前記コーディングユニットの区画化に基づいて、前記コーディングユニットの前記ビデオ成分に関連付けられるイントラ予測モードの数を決定することと、
前記コーディングユニットの前記ビデオ成分に対してイントラ予測モードの前記決定された数を前記ビットストリームからデコードすることと
をさらに含む、項目１〜９のいずれか一項に記載の方法。
（項目１１）
ビデオデコーダにおいて係数を逆量子化するようにエンコードされたビデオのビットストリームをデコードするためのデコーダであって、前記デコーダは、
プロセッサと、
メモリと、
メモリ内に記憶され、項目１から１０のいずれか一項に記載の方法を実施するように前記プロセッサを構成するための命令を含むデコーディングアプリケーションと
を備える、デコーダ。
（項目１２）
ビデオエンコーダを使用して、エンコードされたビデオのビットストリームを作成するためにビデオをエンコードする方法であって、前記ビデオは、コーディングユニットに区画化されるピクチャを含み、前記方法は、
前記コーディングユニットのうちの１つに対して、
前記コーディングユニットと関連付けられ、ビデオ成分と関連付けられる低忠実度フラグをエンコードすることであって、前記低忠実度フラグは、前記コーディングユニットが低忠実度モードにおいてエンコードされる場合に設定され、前記コーディングユニットが低忠実度モードでエンコードされない場合に設定されない、ことと、
前記コーディングユニットが前記低忠実度モードにおいてエンコードされる場合、低忠実度モードオフセットに基づいて、前記ビデオ成分のための量子化パラメータを決定することと、
前記コーディングユニットが前記低忠実度モードにおいてエンコードされない場合、前記低忠実度モードオフセットを使用することなく、前記ビデオ成分のための前記量子化パラメータを決定することと、
前記量子化パラメータに基づいて、前記コーディングユニットに対する前記ビデオ成分における変換係数を量子化することにより、量子化された係数を生成することと
を含む、方法。
（項目１３）
前記ビデオ成分は、ルマ成分と、クロマ成分と、アルファ成分と、赤色成分と、緑色成分と、青色成分とのうちの少なくとも１つを含む、項目１２に記載の方法。
（項目１４）
ビデオをエンコードするためのエンコーダであって、前記ビデオは、コーディングユニットに区画化されるピクチャを含み、前記エンコーダは、
プロセッサと、
メモリと、
メモリ内に記憶され、項目１２または項目１３に記載の方法を実施するように前記プロセッサを構成するための命令を含むエンコーディングアプリケーションと
を備える、エンコーダ。
（項目１５）
プロセッサ実行可能な命令を記憶する非一過性プロセッサ読み取り可能な媒体であって、前記命令は、実行されると、項目１〜１０、１２、および１３のいずれか一項に記載の方法を実施するように１つまたは複数のプロセッサを構成する、非一過性プロセッサ読み取り可能な媒体。